(57)【要約】【課題】災害のシミュレーション結果や過去の災害情報を必要とせず、災害予測情報を容易に生成できるようにすることを目的とする。【解決手段】下絵地図作成部１１０は地図情報１９１に基づいて道路、山、河川などを色付けして表した下絵地図１１９ａを作成する。気象情報地図作成部１２０は気象情報１９２に基づいて気象状況を色付けして表した気象情報地図１２９ａを作成する。危険箇所区別部１３０は下絵地図１１９ａの色付け部分であると共に気象情報地図１２９ａの色付け部分である地域を危険箇所１３９ａとして特定する。また、危険箇所区別部１３０は下絵地図１１９ａと気象情報地図１２９ａとの色の組み合わせに基づいて危険箇所１３９ａに配色する警告色１３９ｂを決定する。危険箇所地図作成部１４０は下絵地図１１９ａと気象情報地図１２９ａとを重ね合わせると共に危険箇所１３９ａを警告色１３９ｂで着色した危険箇所地図１４９ａを作成する。【選択図】図１
2010078783.tif 000002
【特許請求の範囲】
【請求項１】
特定物の存在箇所を示す特定物地図と特定気象の発生箇所を示す気象図とに基づいて前記特定物の存在箇所であると共に前記特定気象の発生箇所である箇所をＣＰＵ（Ｃｅｎｔｒａｌ  Ｐｒｏｃｅｓｓｉｎｇ  Ｕｎｉｔ）を用いて注目箇所として特定する注目箇所特定部と、
前記注目箇所特定部により特定された注目箇所に所定の配色をした地図をＣＰＵを用いて注目箇所地図として作成する注目箇所地図作成部と、
前記注目箇所地図作成部により作成された注目箇所地図を出力装置に出力する注目箇所地図出力部と
を備えたことを特徴とする注目箇所地図作成装置。
【請求項２】
前記特定物地図は、前記特定物の存在箇所を所定の配色で示し、
前記気象図は、前記特定気象の発生箇所を所定の配色で示し、
前記注目箇所特定部は、前記特定物地図内の配色と前記気象図内の配色とに基づいて前記注目箇所を特定する
ことを特徴とする請求項１記載の注目箇所地図作成装置。
【請求項３】
前記特定物地図は、前記特定物の存在箇所を所定の配色で示し、
前記気象図は、前記特定気象の発生箇所を所定の配色で示し、
前記注目箇所地図作成装置は、前記特定物の存在箇所を示す配色と前記特定気象の発生箇所を示す配色との組み合わせに基づいて前記注目箇所の配色をＣＰＵを用いて決定する注目箇所配色決定部を備え、
前記注目箇所地図作成部は、前記注目箇所配色決定部により決定された配色で前記注目箇所を示した地図を前記注目箇所地図として作成する
ことを特徴とする請求項１〜請求項２いずれかに記載の注目箇所地図作成装置。
【請求項４】
前記特定物地図は、前記特定物の存在箇所を所定の配色で示し、
前記気象図は、前記特定気象の発生箇所を所定の配色で示し、
前記注目箇所地図作成装置は、前記特定物の存在箇所を示す配色と前記特定気象の存在箇所を示す配色との組み合わせに基づいて前記注目箇所を示す目印をＣＰＵを用いて決定する注目箇所目印決定部を備え、
前記注目箇所地図作成部は、注目箇所を示す所定の配色と共に又は注目箇所を示す所定の配色の代わりに前記注目箇所目印決定部により決定された目印で前記注目箇所を示した地図を前記注目箇所地図として作成する
ことを特徴とする請求項１〜請求項２いずれかに記載の注目箇所地図作成装置。
【請求項５】
注目箇所特定部は、特定物の存在箇所を示す特定物地図と特定気象の発生箇所を示す気象図とに基づいて前記特定物の存在箇所であると共に前記特定気象の発生箇所である箇所をＣＰＵ（Ｃｅｎｔｒａｌ  Ｐｒｏｃｅｓｓｉｎｇ  Ｕｎｉｔ）を用いて注目箇所として特定する注目箇所特定処理を実行し、
注目箇所地図作成部は、前記注目箇所特定部により特定された注目箇所に所定の配色をした地図をＣＰＵを用いて注目箇所地図として作成する注目箇所地図作成処理を実行し、
注目箇所地図出力部は、前記注目箇所地図作成部により作成された注目箇所地図を出力装置に出力する注目箇所地図出力処理を実行する
ことを特徴とする注目箇所地図作成装置の注目箇所地図作成方法。
【請求項６】
請求項５記載の注目箇所地図作成方法をコンピュータに実行させる注目箇所地図作成プログラム。
【発明の詳細な説明】
【技術分野】
【０００１】
本発明は、例えば、危険箇所（注目箇所の一例）を示す地図を作成する注目箇所地図作成装置、注目箇所地図作成方法、注目箇所地図作成プログラムに関するものである。
【背景技術】
【０００２】
特許文献１が開示する河川情報提供システムは、配信サーバ、アプリケーションサーバおよびＤＢサーバで構成されている。
配信サーバは、必要とする情報を分かりやすく処理して配信する。
アプリケーションサーバは、雨量や水位等の観測データを取り込んで所定の項目に沿って解析処理をする。
ＤＢサーバは、過去の河川情報やリアルタイムに処理した雨量等が蓄積されたデジタルアーカイブスからなる。
【０００３】
この河川情報提供システムは、地形情報、レーダ観測雨量、河川水位、浸水状況、雨域移動などの情報と、過去の土砂災害データとから、土砂災害や河川氾濫などのシミュレーションを行い、これらの災害予測情報を該当地域へ報知する。
【０００４】
従来技術では、災害予測情報を生成するために、災害のシミュレーション結果や過去の災害情報を必要とし、また、これらの処理に対して相応の時間やシステム構成が必要となる。
【特許文献１】特開２００２−２６９６５６号公報
【特許文献２】特開２００７−２２００３０号公報
【特許文献３】特開２００５−２２１８８３号公報
【特許文献４】特開２００３−１６８１７９号公報
【特許文献５】特開２００７−８７３７７号公報
【発明の開示】
【発明が解決しようとする課題】
【０００５】
本発明は、例えば、災害のシミュレーション結果や過去の災害情報を必要とせず、災害予測情報を容易に生成できるようにすることを目的とする。
【課題を解決するための手段】
【０００６】
本発明の注目箇所地図作成装置は、特定物の存在箇所を示す特定物地図と特定気象の発生箇所を示す気象図とに基づいて前記特定物の存在箇所であると共に前記特定気象の発生箇所である箇所をＣＰＵ（Ｃｅｎｔｒａｌ  Ｐｒｏｃｅｓｓｉｎｇ  Ｕｎｉｔ）を用いて注目箇所として特定する注目箇所特定部と、前記注目箇所特定部により特定された注目箇所に所定の配色をした地図をＣＰＵを用いて注目箇所地図として作成する注目箇所地図作成部と、前記注目箇所地図作成部により作成された注目箇所地図を出力装置に出力する注目箇所地図出力部とを備える。
【発明の効果】
【０００７】
本発明によれば、例えば、特定物地図と気象図とに基づいて、危険箇所（注目箇所の一例）を示す危険箇所地図（注目箇所地図の一例）を災害予測情報として容易に生成することができる。
【発明を実施するための最良の形態】
【０００８】
実施の形態１．
実施の形態１では、特定物の存在箇所を示す特定物地図と特定気象の発生箇所を示す気象図とに基づいて、危険箇所（注目箇所の一例）を示す危険箇所地図（注目箇所地図の一例）を作成する危険箇所地図作成装置（注目箇所地図作成装置の一例）について説明する。
【０００９】
図１は、実施の形態１における危険箇所地図作成装置１００の構成図である。
実施の形態１における危険箇所地図作成装置１００の構成について、図１に基づいて以下に説明する。
【００１０】
危険箇所地図作成装置１００（注目箇所地図作成装置の一例）は、下絵地図作成部１１０、気象情報地図作成部１２０、危険箇所区別部１３０、危険箇所地図作成部１４０、地図表示部１５０および地図作成装置記憶部１９０を備え、下絵地図１１９ａ（特定物地図の一例）と気象情報地図１２９ａ（気象図の一例）とに基づいて危険箇所地図１４９ａを作成する。
【００１１】
下絵地図作成部１１０は、特定物の存在箇所を示す下絵地図１１９ａ（特定物地図の一例）を地図情報１９１および地図情報配色表１９４に基づいてＣＰＵ（Ｃｅｎｔｒａｌ  Ｐｒｏｃｅｓｓｉｎｇ  Ｕｎｉｔ）を用いて作成する。
特定物として、例えば、災害の発生を予測したい道路、山、住宅地、河川などが予め定められる。以下、道路、山、住宅地、河川を災害発生の予測対象として「対象物（特定物の一例）」という。
地図情報１９１は、対象物およびその他の地物が存在する箇所を示す。以下、地図情報１９１は、対象物およびその他の地物が存在する箇所を三次元座標で示すものとする。
地図情報配色表１９４は、対象物の存在箇所を示す色として予め定められた配色を対象物の種類毎に示す。
【００１２】
気象情報地図作成部１２０は、特定気象の発生箇所を示す気象情報地図１２９ａ（気象図の一例）を気象情報１９２および気象情報配色表１９５に基づいてＣＰＵを用いて作成する。
特定気象として、例えば、災害の発生原因になりやすい雨、風、雪、気温などが予め定められる。以下、雨、風、雪、気温を災害の発生原因になる対象として「対象気象（特定気象の一例）」という。
気象情報１９２は、気象庁や日本気象協会（ＪＷＡ）などのサーバ装置（以下、気象情報提供装置２００という）から配信される情報である。例えば、アメダスのデータは気象情報１９２の一例である。
気象情報配色表１９５は、対象気象の発生箇所を示す色として予め定められた配色を対象気象の種類毎に示す。
【００１３】
危険箇所区別部１３０（注目箇所特定部の一例）は、下絵地図１１９ａと気象情報地図１２９ａとに基づいて、対象物の存在箇所であると共に対象気象の発生箇所である箇所をＣＰＵを用いて危険箇所１３９ａとして特定する。
さらに、危険箇所区別部１３０（注目箇所配色決定部の一例）は、対象物の存在箇所を示す配色と対象気象の発生箇所を示す配色との組み合わせと危険箇所配色表１９３とに基づいて、危険箇所１３９ａを示す配色をＣＰＵを用いて決定する。以下、危険箇所１３９ａを示す配色を「警告色１３９ｂ」という。
危険箇所配色表１９３は、予め定められた警告色１３９ｂを対象物の存在箇所を示す配色と対象気象の発生箇所を示す配色との組み合わせ毎に示す。
【００１４】
危険箇所地図作成部１４０（注目箇所地図作成部の一例）は、下絵地図１１９ａ、気象情報地図１２９ａ、危険箇所１３９ａおよび警告色１３９ｂに基づいて、危険箇所１３９ａを警告色１３９ｂで示した地図をＣＰＵを用いて危険箇所地図１４９ａとして作成する。
【００１５】
地図表示部１５０（注目箇所地図出力部の一例）は、危険箇所地図１４９ａを表示装置９０１に表示させる。
【００１６】
地図作成装置記憶部１９０は、各「〜部」で使用、生成される各種の電子データを記憶媒体を用いて記憶する。
地図情報１９１、気象情報１９２、危険箇所配色表１９３、地図情報配色表１９４、気象情報配色表１９５、下絵地図１１９ａ、気象情報地図１２９ａ、危険箇所１３９ａ、警告色１３９ｂおよび危険箇所地図１４９ａは、地図作成装置記憶部１９０により記憶される電子データの一例である。
地図情報１９１、危険箇所配色表１９３、地図情報配色表１９４および気象情報配色表１９５は、地図作成装置記憶部１９０に予め記憶される。
【００１７】
図２は、実施の形態１における危険箇所地図作成装置１００の外観の一例を示す図である。
図２において、危険箇所地図作成装置１００は、システムユニット９１０、ＣＲＴ（Ｃａｔｈｏｄｅ・Ｒａｙ・Ｔｕｂｅ）やＬＣＤ（液晶）の表示画面を有する表示装置９０１、キーボード９０２（Ｋｅｙ・Ｂｏａｒｄ：Ｋ／Ｂ）、マウス９０３、ＦＤＤ９０４（Ｆｌｅｘｉｂｌｅ・Ｄｉｓｋ・Ｄｒｉｖｅ）、ＣＤＤ９０５（コンパクトディスク装置）、プリンタ装置９０６、スキャナ装置９０７などのハードウェア資源を備え、これらはケーブルや信号線で接続されている。
システムユニット９１０は、コンピュータであり、ファクシミリ機９３２、電話器９３１とケーブルで接続され、また、ＬＡＮ９４２（ローカルエリアネットワーク）、ゲートウェイ９４１を介してインターネット９４０に接続されている。
【００１８】
図３は、実施の形態１における危険箇所地図作成装置１００のハードウェア資源の一例を示す図である。
図３において、危険箇所地図作成装置１００は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、通信ボード９１５、表示装置９０１、キーボード９０２、マウス９０３、ＦＤＤ９０４、ＣＤＤ９０５、プリンタ装置９０６、スキャナ装置９０７、磁気ディスク装置９２０と接続され、これらのハードウェアデバイスを制御する。磁気ディスク装置９２０の代わりに、光ディスク装置、メモリカード読み書き装置などの記憶装置でもよい。
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。これらは、記憶機器、記憶装置あるいは記憶部の一例である。また、入力データが記憶される記憶機器は入力機器、入力装置あるいは入力部の一例であり、出力データが記憶される記憶機器は出力機器、出力装置あるいは出力部の一例である。
通信ボード９１５、キーボード９０２、スキャナ装置９０７、ＦＤＤ９０４などは、入力機器、入力装置あるいは入力部の一例である。
また、通信ボード９１５、表示装置９０１、プリンタ装置９０６などは、出力機器、出力装置あるいは出力部の一例である。
【００１９】
通信ボード９１５は、ファクシミリ機９３２、電話器９３１、ＬＡＮ９４２等に接続されている。通信ボード９１５は、ＬＡＮ９４２に限らず、インターネット９４０、ＩＳＤＮ等のＷＡＮ（ワイドエリアネットワーク）などに接続されていても構わない。インターネット９４０或いはＩＳＤＮ等のＷＡＮに接続されている場合、ゲートウェイ９４１は不用となる。
【００２０】
磁気ディスク装置９２０には、ＯＳ９２１（オペレーティングシステム）、ウィンドウシステム９２２、プログラム群９２３、ファイル群９２４が記憶されている。プログラム群９２３のプログラムは、ＣＰＵ９１１、ＯＳ９２１、ウィンドウシステム９２２により実行される。
【００２１】
上記プログラム群９２３には、実施の形態において「〜部」として説明する機能を実行するプログラムが記憶されている。プログラムは、ＣＰＵ９１１により読み出され実行される。
【００２２】
ファイル群９２４には、実施の形態において、「〜部」の機能を実行した際の「〜の判定結果」、「〜の計算結果」、「〜の処理結果」などの結果データ、「〜部」の機能を実行するプログラム間で受け渡しするデータ、その他の情報やデータや信号値や変数値やパラメータが、「〜ファイル」や「〜データベース」の各項目として記憶されている。
「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵの動作に用いられる。これらのＣＰＵの動作の間、情報やデータや信号値や変数値やパラメータは、メインメモリやキャッシュメモリやバッファメモリに一時的に記憶される。
また、実施の形態において説明するフローチャートの矢印の部分は主としてデータや信号の入出力を示し、データや信号値は、ＲＡＭ９１４のメモリ、ＦＤＤ９０４のフレキシブルディスク、ＣＤＤ９０５のコンパクトディスク、磁気ディスク装置９２０の磁気ディスク、その他光ディスク、ミニディスク、ＤＶＤ（Ｄｉｇｉｔａｌ・Ｖｅｒｓａｔｉｌｅ・Ｄｉｓｃ）等の記録媒体に記録される。また、データや信号値は、バス９１２や信号線やケーブルその他の伝送媒体によりオンライン伝送される。
【００２３】
また、実施の形態において「〜部」として説明するものは、「〜回路」、「〜装置」、「〜機器」であってもよく、また、「〜ステップ」、「〜手順」、「〜処理」であってもよい。すなわち、「〜部」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、プログラムは、「〜部」としてコンピュータを機能させるものである。あるいは、「〜部」の手順や方法をコンピュータに実行させるものである。
【００２４】
図４は、実施の形態１における危険箇所地図作成方法を示すフローチャートである。
実施の形態１における危険箇所地図作成方法（注目箇所地図作成方法の一例）について、図４に基づいて以下に説明する。
「〜部」は、以下に説明する各処理をＣＰＵを用いて実行する。
【００２５】
まず、下絵地図作成部１１０は地図情報１９１に基づいて下絵地図１１９ａを作成し（Ｓ１１０：下絵地図作成処理）、気象情報地図作成部１２０は気象情報１９２に基づいて気象情報地図１２９ａを作成する（Ｓ１２０：気象情報地図作成処理）。
次に、危険箇所区別部１３０はＳ１１０において作成された下絵地図１１９ａとＳ１２０において作成された気象情報地図１２９ａとに基づいて危険箇所１３９ａを特定し、特定した危険箇所１３９ａに着色する警告色１３９ｂを危険箇所配色表１９３に基づいて決定する（Ｓ１３０：危険箇所区別処理）（注目箇所特定処理、危険箇所配色決定処理の一例）。
そして、危険箇所地図作成部１４０はＳ１１０の下絵地図１１９ａ、Ｓ１２０の気象情報地図１２９ａ、Ｓ１３０の危険箇所１３９ａおよびＳ１３０の警告色１３９ｂに基づいて危険箇所地図１４９ａを作成し（Ｓ１４０：危険箇所地図作成処理）（注目箇所地図作成処理の一例）、地図表示部１５０はＳ１４０において作成された危険箇所地図１４９ａを表示装置９０１に表示させる（Ｓ１５０：危険箇所地図表示処理）（注目箇所地図出力処理の一例）。
以下に、Ｓ１１０〜Ｓ１４０の詳細について説明する。
【００２６】
図５は、実施の形態１における下絵地図作成処理（Ｓ１１０）を示すフローチャートである。
実施の形態１における下絵地図作成処理（Ｓ１１０）について、図５に基づいて以下に説明する。
【００２７】
＜Ｓ１１１＞
まず、下絵地図作成部１１０は、地図作成装置記憶部１９０から地図情報１９１を取得し、取得した地図情報１９１に基づいて対象物の存在箇所を特定する。
地図情報１９１は、対象物およびその他の地物が存在する箇所を三次元座標で示す。下絵地図作成部１１０は、地図情報１９１から対象物が存在する箇所を示す三次元座標を抽出することにより対象物の存在箇所を特定する。
【００２８】
＜Ｓ１１２＞
次に、下絵地図作成部１１０は、地図作成装置記憶部１９０から地図情報配色表１９４を取得し、Ｓ１１１において存在箇所を特定した対象物の配色を地図情報配色表１９４に基づいて決定する。
【００２９】
図６は、実施の形態１における地図情報配色表１９４を示す図である。
図６において、「対象物区分」は対象物の種類を示し、「下絵地図上の配色」は対象物の存在箇所を示す色として予め定められた配色を示す。
図６に示す地図情報配色表１９４には、「道路」を「白」で表し、「山」を「緑」で表し、「住宅地（特定危険箇所）」を「茶」で表し、「河川」を「青」で表すことが定められている。
但し、道路、山、住宅地、河川以外の地物が対象物であってもよいし、対象物の配色が図６に示す配色以外であってもよい。
【００３０】
図５のＳ１１２において、下絵地図作成部１１０は、図６の地図情報配色表１９４を参照して、道路の配色を「白」、山の配色を「緑」、住宅地の配色を「茶」、河川の配色を「青」に決定する。
図５に戻り、下絵地図作成処理（Ｓ１１０）の続き（Ｓ１１３）を説明する。
【００３１】
＜Ｓ１１３＞
そして、下絵地図作成部１１０は、Ｓ１１１において特定した対象物の存在箇所とＳ１１２において決定した対象物の配色とに基づいて下絵地図１１９ａを作成し、作成した下絵地図１１９ａを地図作成装置記憶部１９０に記憶する。
【００３２】
図７は、実施の形態１における下絵地図１１９ａである。
Ｓ１１３（図５）において、下絵地図作成部１１０は、特定した存在箇所（Ｓ１１１）に基づいて道路を線描画し、線描画した道路をＳ１１２において決定した配色（白）で着色し、図７に示す下絵地図１１９ａを作成する。図７は、下絵地図１１９ａの一例である。
図７において、（０、０）、（ｕ、０）、（０、ｖ）および（ｕ、ｖ）は下絵地図１１９ａ内での各画素（ピクセル、ドットともいう）の位置（ｕｖ座標）を示す。
【００３３】
下絵地図作成部１１０は、下絵地図１１９ａの各画素に、当該画素が表す地点の緯度・経度と当該画素の色（ＲＧＢ値）とを対応付けて設定する。
【００３４】
図８は、実施の形態１における気象情報地図作成処理（Ｓ１２０）を示すフローチャートである。
実施の形態１における気象情報地図作成処理（Ｓ１２０）について、図８に基づいて以下に説明する。
【００３５】
＜Ｓ１２１＞
まず、気象情報地図作成部１２０は、気象情報提供装置２００から気象情報１９２を取得し、取得した気象情報１９２を地図作成装置記憶部１９０に記憶する。
気象情報提供装置２００は、気象庁や日本気象協会（ＪＷＡ）などの機関が提供する気象情報１９２を配信するサーバである。アメダスのデータは、気象情報提供装置２００から配信される気象情報１９２の一例である。
例えば、気象情報地図作成部１２０は、気象情報提供装置２００から配信されたアメダスのデータを受信し、受信したアメダスのデータを気象情報１９２として地図作成装置記憶部１９０に記憶する。
アメダスのデータは、各地の降雨量、風向・風速、降雪量、気温などについて、現在までの経過情報、今後の予測情報を示す。
以下、気象情報１９２は、各地の降雨量のみを示すものとする。
【００３６】
＜Ｓ１２２＞
次に、気象情報地図作成部１２０は、地図作成装置記憶部１９０から気象情報配色表１９５を取得し、取得した気象情報配色表１９５に基づいて対象気象（雨、風、雪、気温）の発生箇所の配色を決定する。
【００３７】
図９は、実施の形態１における気象情報配色表１９５を示す図である。
図９において、「配色対象」は対象気象（雨、風、雪、気温）の種類を示し、「属性情報」は降雨量、風向・風速、降雪量、気温の数値（大小、高低、早遅など）を示し、「配色」は対象気象の発生箇所を示す色として予め定められた配色を示す。
図９に示す気象情報配色表１９５には、「雨量」を青系の色で表し、「風速」を黄系の色で表し、「降雪量」を白系の色で表し、「気温」を赤系の色で表すことが定められている。さらに、図９に示す気象情報配色表１９５には、数値が大きいほど、濃い色（または、暗い色）を配色することが定められている。例えば、雨量が多くなるに従って、配色は水色→青→濃紺に変化する。
但し、雨、風、雪、気温以外の気象条件が対象気象であってもよいし、対象気象の配色が図９に示す配色以外であってもよい。例えば、雨量が多くなるに従って、水色→青→オレンジ→赤というように異なる系の色が配色されてもよい。
【００３８】
Ｓ１２２において、気象情報地図作成部１２０は、気象情報配色表１９５（図９）を参照して、降雨地域の配色を「青系色」、強風域の配色を「黄系色」、降雪地域の配色を「白系色」、高温地域の配色を「赤系色」に決定すると共に、数値の大きさに対応する色の濃さ（または、明るさ）を決定する。
【００３９】
＜Ｓ１２３＞
そして、気象情報地図作成部１２０は、Ｓ１２１において取得した気象情報１９２とＳ１２２において決定した対象気象の配色とに基づいて気象情報地図１２９ａを作成し、作成した気象情報地図１２９ａを地図作成装置記憶部１９０に記憶する。
【００４０】
図１０は、実施の形態１における気象情報地図１２９ａである。
Ｓ１２３において、気象情報地図作成部１２０は、Ｓ１２１において取得した気象情報１９２に基づいて降雨地域と降雨量とを特定し、特定した降雨地域をＳ１２２において決定した配色（青系色）で着色し、図１０に示す気象情報地図１２９ａを作成する。図１０は、気象情報地図１２９ａの一例である。
図１０において、（０、０）、（ｕ、０）、（０、ｖ）および（ｕ、ｖ）は気象情報地図１２９ａ内での各画素の位置（ｕｖ座標）を示す。
【００４１】
気象情報地図作成部１２０は、下絵地図１１９ａの尺度に合わせて気象情報地図１２９ａを作成する。
また、気象情報地図作成部１２０は、気象情報地図１２９ａの各画素に、当該画素が表す地点の緯度・経度と当該画素の色とを対応付けて設定する。
気象情報地図１２９ａの各画素（０、０）、（ｕ、０）、（０、ｖ）および（ｕ、ｖ）に設定される緯度・経度はそれぞれ、下絵地図１１９ａの画素（０、０）、（ｕ、０）、（０、ｖ）および（ｕ、ｖ）に設定される緯度・経度と一致するものとする。
【００４２】
図１１は、実施の形態１における危険箇所区別処理（Ｓ１３０）を示すフローチャートである。
実施の形態１における危険箇所区別処理（Ｓ１３０）について、図１１に基づいて以下に説明する。
【００４３】
＜Ｓ１３１＞
まず、危険箇所区別部１３０は、地図作成装置記憶部１９０から下絵地図１１９ａと気象情報地図１２９ａとを取得し、取得した下絵地図１１９ａと気象情報地図１２９ａとを重ね合わせる。このとき、危険箇所区別部１３０は、設定されている緯度・経度が一致する下絵地図１１９ａの画素と気象情報地図１２９ａの画素とを重ね合わせる。
【００４４】
図１２は、実施の形態１における下絵地図１１９ａと気象情報地図１２９ａとを重ね合わせた地図である。
危険箇所区別部１３０は、図１２に示すように、下絵地図１１９ａ（図７）の画素（０、０）、（ｕ、０）、（０、ｖ）および（ｕ、ｖ）をそれぞれ、気象情報地図１２９ａ（図１０）の画素（０、０）、（ｕ、０）、（０、ｖ）および（ｕ、ｖ）に重ね合わせる。
【００４５】
図１１に戻り、危険箇所区別処理（Ｓ１３０）の続き（Ｓ１３２）を説明する。
【００４６】
＜Ｓ１３２：危険箇所特定処理（注目箇所特定処理の一例）＞
次に、危険箇所区別部１３０は、地図作成装置記憶部１９０から危険箇所配色表１９３を取得し、下絵地図１１９ａの配色と気象情報地図１２９ａの配色との組み合わせと危険箇所配色表１９３に示される配色の組み合わせとに基づいて危険箇所１３９ａを特定し、特定した危険箇所１３９ａを地図作成装置記憶部１９０に記憶する。
【００４７】
図１３は、実施の形態１における危険箇所配色表１９３を示す図である。
図１３において、「重ね合わせた後の配色」は、下絵地図１１９ａの配色と気象情報地図１２９ａの配色との組み合わせに対応付けられて予め定められた配色を示し、警告色１３９ｂとして用いられる。
例えば、図１３に示す危険箇所配色表１９３には、下絵地図１１９ａの配色が「白（道路）」であると共に気象情報地図１２９ａの配色が「青系色（降雨地域）」である部分の配色（警告色１３９ｂ）を「オレンジ系色」にすることが定められている。
但し、「重ね合わせ後の配色」（警告色１３９ｂ）が図１３に示す配色以外であってもよい。
【００４８】
図１４は、実施の形態１における下絵地図１１９ａと気象情報地図１２９ａとを重ね合わせた地図（図１２）内から特定された危険箇所１３９ａを示す図である。
例えば、危険箇所区別部１３０は、危険箇所配色表１９３（図１３）に基づいて、下絵地図１１９ａの配色が「白（道路）」であると共に気象情報地図１２９ａの配色が「青系色（雨）」である部分を危険箇所１３９ａとして特定する（図１４参照）。危険箇所１３９ａは、下絵地図１１９ａに示される道路（対象物の一例）と気象情報地図１２９ａに示される降雨地域（対象気象の発生箇所の一例）とが重なり合う部分に相当する。
【００４９】
図１１に戻り、危険箇所区別処理（Ｓ１３０）の続き（Ｓ１３３）を説明する。
【００５０】
＜Ｓ１３３：危険箇所配色決定処理（注目箇所配色決定処理の一例）＞
危険箇所区別部１３０は、Ｓ１３２で特定した危険箇所１３９ａでの下絵地図１１９ａと気象情報地図１２９ａとの配色の組み合わせに対応する警告色１３９ｂを危険箇所配色表１９３に基づいて決定し、決定した危険箇所配色表１９３を地図作成装置記憶部１９０に記憶する。
【００５１】
例えば、下絵地図１１９ａ内の危険箇所１３９ａの配色が「白（道路）」であると共に気象情報地図１２９ａ内の危険箇所１３９ａの配色が「青系色（雨）」である場合、危険箇所区別部１３０は、その配色の組み合わせに対応付けられて危険箇所配色表１９３（図１３）に設定されている「オレンジ系色」を警告色１３９ｂに決定する。
【００５２】
危険箇所区別処理（Ｓ１３０）は、図１１に基づいて説明したようにＳ１３１〜Ｓ１３３として実行されなくてもよい。
例えば、危険箇所区別部１３０は、下絵地図１１９ａから画素を１ずつ抽出し、下絵地図１１９ａから抽出した画素と緯度・経度が一致する気象情報地図１２９ａの画素を特定する。次に、危険箇所区別部１３０は、下絵地図１１９ａから抽出した画素の色（下絵地図１１９ａの配色）と気象情報地図１２９ａから特定した画素の色（気象情報地図１２９ａの配色）とに一致する組み合わせが危険箇所配色表１９３に設定されているか判定する（危険箇所特定処理の一例）。そして、危険箇所区別部１３０は、下絵地図１１９ａから抽出した画素の色（下絵地図１１９ａの配色）と気象情報地図１２９ａから特定した画素の色（気象情報地図１２９ａの配色）との組み合わせに対応する警告色１３９ｂを危険箇所配色表１９３から取得する（危険箇所配色決定処理の一例）。
【００５３】
また、危険箇所特定処理（Ｓ１３２）での危険箇所１３９ａの特定は、下絵地図１１９ａの配色と気象情報地図１２９ａの配色とに基づいて行われなくてもよい。
例えば、危険箇所区別部１３０は、対象物の存在箇所を示す緯度・経度と対象気象の発生箇所を示す緯度・経度とを比較し、共通する地域を危険箇所１３９ａとして特定してもよい。
【００５４】
図１５は、実施の形態１における危険箇所地図作成処理（Ｓ１４０）を示すフローチャートである。
実施の形態１における危険箇所地図作成処理（Ｓ１４０）について、図１５に基づいて以下に説明する。
【００５５】
＜Ｓ１４１＞
まず、危険箇所地図作成部１４０は、地図作成装置記憶部１９０から下絵地図１１９ａと気象情報地図１２９ａとを取得し、取得した下絵地図１１９ａと気象情報地図１２９ａとを重ね合わせて重畳画像を作成する。
例えば、危険箇所地図作成部１４０は、図１２に示すように重畳画像を作成する。
【００５６】
＜Ｓ１４２＞
そして、危険箇所地図作成部１４０は、地図作成装置記憶部１９０から危険箇所１３９ａと警告色１３９ｂとを取得し、Ｓ１４１において作成した重畳画像内の危険箇所１３９ａに警告色１３９ｂを着色し、危険箇所１３９ａに警告色１３９ｂを着色した重畳画像を危険箇所地図１４９ａとして地図作成装置記憶部１９０に記憶する。
【００５７】
図１６は、実施の形態１における危険箇所地図１４９ａである。
例えば、危険箇所地図作成部１４０は、図１６に示すように、危険箇所１３９ａにオレンジ系色（警告色１３９ｂ）を着色して危険箇所地図１４９ａを作成する。このとき、危険箇所地図作成部１４０は、危険箇所１３９ａ内で濃い青部分には濃いオレンジを着色し、危険箇所１３９ａ内で薄い青部分には薄いオレンジを着色する。
【００５８】
危険箇所区別処理（Ｓ１３０）および危険箇所地図作成処理（Ｓ１４０）は、上記の手順Ｓ１３１〜Ｓ１３３、Ｓ１４１〜Ｓ１４２で実行されてなくてもよい。
例えば、「重畳画像の作成（Ｓ１４１）→危険箇所１３９ａの特定（Ｓ１３２）→警告色１３９ｂの決定（Ｓ１３３）→危険箇所地図１４９ａの作成（Ｓ１４２）」の順で実行されてもよい。
【００５９】
上記で説明した形態は、危険箇所地図作成装置１００の一例である。
例えば、危険箇所地図作成装置１００は以下のようなものでもよい。
【００６０】
危険箇所地図１４９ａは、危険箇所１３９ａを警告色１３９ｂで示す代わりに、または、危険箇所１３９ａを警告色１３９ｂで示すと共に、縁取り、マーク、吹き出しなどの警告目印により危険箇所１３９ａを示すものであってもよい。
例えば、危険箇所配色表１９３には、下絵地図１１９ａの配色と気象情報地図１２９ａの配色との組み合わせに対応付けられて警告目印の種類が警告色１３９ｂの代わりに、または、警告色１３９ｂと共に、予め設定される。
危険箇所区別部１３０は危険箇所配色表１９３に基づいて危険箇所１３９ａを示す警告目印を警告色１３９ｂの代わりに、または、警告色１３９ｂと共に特定し、危険箇所地図作成部１４０は、危険箇所１３９ａに警告色１３９ｂを着色する代わりに、または、危険箇所１３９ａに警告色１３９ｂを着色すると共に、警告目印を付記する。
【００６１】
下絵地図作成部１１０は、下絵地図１１９ａを作成する際に、対象物を着色しなくてもよい。この場合、下絵地図作成部１１０は、下絵地図１１９ａ内の対象物を示す各画素に当該画素が対象物を示すことを意味する情報（例えば、フラグや着色しなかった対象物の配色）を設定する。
【００６２】
危険箇所地図作成部１４０は、下絵地図１１９ａと気象情報地図１２９ａとを重ね合わせて危険箇所地図１４９ａを生成しなくてもよい。
例えば、危険箇所地図作成部１４０は、気象情報地図１２９ａを用いず、下絵地図１１９ａ内の危険箇所１３９ａを警告色１３９ｂで着色して危険箇所地図１４９ａを作成する。
【００６３】
危険箇所１３９ａは、対象物の存在箇所であると共に複数の対象気象の発生箇所である箇所として特定されてもよい。
例えば、気象情報地図作成部１２０は、複数の対象気象（雨、風、雪、気温など）それぞれに対応する複数の気象情報地図１２９ａを作成する。危険箇所配色表１９３には、対象物の配色と複数の対象気象の配色との組み合わせ（例えば、白［道路］、青［雨］、黄［風］の組み合わせ）が設定される。そして、危険箇所区別部１３０は、下絵地図１１９ａと複数の気象情報地図１２９ａとを重ね合わせ、重なり合う配色の組み合わせが危険箇所配色表１９３に設定されている配色の組み合わせである部分を危険箇所１３９ａとして特定する。
【００６４】
下絵地図１１９ａは、過去に土砂崩れ、洪水、浸水、川の氾濫などの災害が起こった地域またはその地域に位置する地物を対象物として示してもよい。
例えば、過去の災害地域、その災害地域に位置する地物、その災害の大きさ等を示す「過去の災害情報」が地図作成装置記憶部１９０に予め記憶され、下絵地図作成部１１０は「過去の災害情報」に基づいて下絵地図１１９ａを作成する。
地図情報配色表１９４には、災害の大きさに対応付けられて配色が設定されてもよい。下絵地図作成部１１０は、地図情報配色表１９４を参照し、下絵地図１１９ａ内の災害地域を災害の大きさに対応する配色で着色する。
【００６５】
下絵地図１１９ａは、シミュレーション計算により予測された災害の発生しやすい地域またはその地域に位置する地物を対象物として示してもよい。
例えば、予測される災害地域、その災害地域に位置する地物、その災害の大きさ等を示す「災害シミュレーション情報」が地図作成装置記憶部１９０に予め記憶され、下絵地図作成部１１０は「災害シミュレーション情報」に基づいて下絵地図１１９ａを作成する。
地図情報配色表１９４には、災害の大きさに対応付けられて配色が設定されてもよい。下絵地図作成部１１０は、地図情報配色表１９４を参照し、下絵地図１１９ａ内の災害地域を災害の大きさに対応する配色で着色する。
【００６６】
図１７は、実施の形態１における危険箇所地図作成装置１００の概要を示す図である。
実施の形態１において、図１７に示すような危険箇所地図作成装置１００について説明した。
【００６７】
危険箇所地図作成装置１００は、地図情報１９１および災害発生が予想される危険箇所の情報から下絵地図１１９ａを作成する下絵地図作成部１１０と、レーダ雨量などの気象情報１９２から気象情報地図１２９ａを作成する気象情報地図作成部１２０と、下絵地図１１９ａと気象情報地図１２９ａを重ね合わせて危険箇所地図１４９ａを作成する危険箇所地図作成部１４０を備える。
【００６８】
危険箇所地図作成装置１００は、災害の危険箇所となりうる地域・地形を色情報で示す下絵地図１１９ａとレーダ観測雨量などを色情報で示す気象情報地図１２９ａとの双方の色情報の重なり合いに基づいて、災害の危険箇所を危険箇所地図１４９ａとして表示する。このため、危険箇所地図作成装置１００は、危険箇所の表示にあたって複雑な処理やシステム構成を必要としない。
また、危険箇所地図作成装置１００は、多種の色の組み合わせを選択することができるように構成されているので、浸水、土砂崩れ、強風による災害などの災害の種類や、災害の程度を多種かつ簡単に表現することができる。
なお、危険箇所地図作成装置１００は、災害の危険箇所となりうる地域・地形を過去の災害情報の分析結果から設定し、過去の災害情報を今後の災害予測に利用することも可能である。
【００６９】
実施の形態１で説明した危険箇所地図作成装置１００は、注目箇所地図作成装置の一例である。
注目箇所地図作成装置は、危険箇所以外の注目箇所を特定し、注目箇所を示す注目箇所地図を作成してもよい。注目箇所地図の作成方法は、危険箇所地図の作成方法と同じである。
例えば、注目箇所地図作成装置は、桜並木の道路を示す下絵地図と気温を示す気象情報地図とに基づいて、桜が開花している又は桜の開花が間近な桜並木をその開花状況（開花間近、七分咲き、満開など）と共に桃色の濃淡で表す桜街道地図を作成することもできる。
【図面の簡単な説明】
【００７０】
【図１】実施の形態１における危険箇所地図作成装置１００の構成図。
【図２】実施の形態１における危険箇所地図作成装置１００の外観の一例を示す図。
【図３】実施の形態１における危険箇所地図作成装置１００のハードウェア資源の一例を示す図。
【図４】実施の形態１における危険箇所地図作成方法を示すフローチャート。
【図５】実施の形態１における下絵地図作成処理（Ｓ１１０）を示すフローチャート。
【図６】実施の形態１における地図情報配色表１９４を示す図。
【図７】実施の形態１における下絵地図１１９ａ。
【図８】実施の形態１における気象情報地図作成処理（Ｓ１２０）を示すフローチャート。
【図９】実施の形態１における気象情報配色表１９５を示す図。
【図１０】実施の形態１における気象情報地図１２９ａ。
【図１１】実施の形態１における危険箇所区別処理（Ｓ１３０）を示すフローチャート。
【図１２】実施の形態１における下絵地図１１９ａと気象情報地図１２９ａとを重ね合わせた地図。
【図１３】実施の形態１における危険箇所配色表１９３を示す図。
【図１４】実施の形態１における下絵地図１１９ａと気象情報地図１２９ａとを重ね合わせた地図（図１２）内から特定された危険箇所１３９ａを示す図。
【図１５】実施の形態１における危険箇所地図作成処理（Ｓ１４０）を示すフローチャート。
【図１６】実施の形態１における危険箇所地図１４９ａ。
【図１７】実施の形態１における危険箇所地図作成装置１００の概要を示す図。
【符号の説明】
【００７１】
１００  危険箇所地図作成装置、１１０  下絵地図作成部、１１９ａ  下絵地図、１２０  気象情報地図作成部、１２９ａ  気象情報地図、１３０  危険箇所区別部、１３９ａ  危険箇所、１３９ｂ  警告色、１４０  危険箇所地図作成部、１４９ａ  危険箇所地図、１５０  地図表示部、１９０  地図作成装置記憶部、１９１  地図情報、１９２  気象情報、１９３  危険箇所配色表、１９４  地図情報配色表、１９５  気象情報配色表、２００  気象情報提供装置、９０１  表示装置、９０２  キーボード、９０３  マウス、９０４  ＦＤＤ、９０５  ＣＤＤ、９０６  プリンタ装置、９０７  スキャナ装置、９１０  システムユニット、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９３１  電話器、９３２  ファクシミリ機、９４０  インターネット、９４１  ゲートウェイ、９４２  ＬＡＮ。
【図１】
2010078783.tif 000003
【図２】
2010078783.tif 000004
【図３】
2010078783.tif 000005
【図４】
2010078783.tif 000006
【図５】
2010078783.tif 000007
【図６】
2010078783.tif 000008
【図７】
2010078783.tif 000009
【図８】
2010078783.tif 000010
【図９】
2010078783.tif 000011
【図１１】
2010078783.tif 000012
【図１３】
2010078783.tif 000013
【図１５】
2010078783.tif 000014
【図１０】
2010078783.tif 000015
【図１２】
2010078783.tif 000016
【図１４】
2010078783.tif 000017
【図１６】
2010078783.tif 000018
【図１７】
2010078783.tif 000019